(57)【特許請求の範囲】
【請求項１】
身体の胸部から下を包む胴衣を備える死装束であって、
該胴衣は、背面部を形成する背面布地、前面部を形成する前面布地、該背面布地と該前面布地を留める少なくとも１本の留め紐、を有しており、
前記背面布地と前記前面布地は左右いずれか一方のみで縫合されており、
前記背面布地は厚手であり、前記前面布地は背面布地よりも薄い布地により形成されていることを特徴とする死装束。
【請求項２】
請求項１に記載の死装束において、
前記前面布地は、重なった外側布地と内側布地により形成されていることを特徴とする死装束。
【請求項３】
請求項２に記載の死装束において、
前記少なくとも１本の留め紐は、前面布地の幅よりも長い一連の紐から成り、
該留め紐は、前面布地の左上側端部から右上側端部まで外側布地と内側布地を縫合した２つの縫い目の間に挿入され、中央部が外側布地と内側布地に固定され、周辺部が固定されていないことを特徴とする死装束。
【請求項４】
請求項１〜３のいずれか１項に記載の死装束において、
前記胴衣は、身体の胸部を左右から覆うことが可能なように背面布地の両側端部から外方に伸びる胸部帯状布地を有していることを特徴とする死装束。
【請求項５】
請求項４に記載の死装束において、
前記背面布地の幅よりも長い１枚の布地が胴衣本体に縫合されることによって、胸部帯状布地を成していることを特徴とする死装束。
【請求項６】
請求項１〜５のいずれか１項に記載の死装束において、
前記胴衣は、身体の下腹部を左右から覆うことが可能なように背面布地の両側端部から外方に伸びる下腹部帯状布地を有していることを特徴とする死装束。
【請求項７】
請求項６に記載の死装束において、
前記背面布地の幅よりも長い１枚の布地が胴衣本体に縫合されることによって、下腹部帯状布地を成していることを特徴とする死装束。
【請求項８】
請求項１〜７のいずれか１項に記載の死装束において、
身体の胸部から上を前記胴衣に重ねて覆う上衣を更に備えてなることを特徴とする死装束。
【請求項９】
請求項８に記載の死装束において、
前記上衣の上衣本体は、前面から身体を覆うように平面体状であることを特徴とする死装束。
【請求項１０】
請求項８又は９に記載の死装束において、
前記上衣は、身体の各手首に巻いて結ばれるように上衣本体の左右の端部近傍に手首固定紐を有していることを特徴とする死装束。
【請求項１１】
請求項８〜１０いずれか１項に記載の死装束において、
前記上衣は、身体の首部に巻いてから結ばれるように上衣本体の上端部から左右に伸びる飾り紐を有していることを特徴とする死装束。
【発明の詳細な説明】
【技術分野】
【０００１】
本発明は、葬儀の際にご遺体に着せる死装束に関し、特に、女性用の洋風の死装束に関する。
【背景技術】
【０００２】
死装束一般について重要なことは、硬直状態の身体に着せやすいことである。例えば特許文献１に記載されている死装束は、縫い目を横方向にすることで、身体に着せるときに引っ張っても縫い目がほころび難いとしている。
【０００３】
従来より、死装束としては、伝統的な着物スタイルのものが用いられることが多いが、近年、洋風のものが提案されるようになった。例えば特許文献２に記載されているものは、ウェディングドレスの前側を模した女性用の死装束である。
【先行技術文献】
【特許文献】
【０００４】
【特許文献１】特開平１１−２１７７０６号公報
【特許文献２】特開２００２−１０２２９９号公報
【発明の概要】
【発明が解決しようとする課題】
【０００５】
しかしながら、女性用の洋風の死装束を、身体に着せやすく、かつ、通常のドレスの美しさに比べてさほど遜色がないようにすることは、容易ではない。例えば、女性用の洋風の死装束について、特許文献１のように縫い目の方向を限定したり形状を限定したりすることは自由な装飾ができないことにもなるし、それだけでは着せやすさについても十分とは言えない。また、特許文献２のように、身体の前側だけを覆うようにしたものは、別の死装束を予め着せておかなければならない。
【０００６】
本発明は係る事由に鑑みてなされたものであり、その目的は、身体に着せやすく、かつ、通常のドレスの美しさに比べて遜色がない女性用の洋風の死装束を提供することにある。
【課題を解決するための手段】
【０００７】
上記目的を達成するために、請求項１に記載の死装束は、身体の胸部から下を包む胴衣を備える死装束であって、該胴衣は、背面部を形成する背面布地、前面部を形成する前面布地、該背面布地と該前面布地を留める少なくとも１本の留め紐、を有しており、前記背面布地と前記前面布地は左右いずれか一方のみで縫合されており、前記背面布地は厚手であり、前記前面布地は背面布地よりも薄い布地により形成されていることを特徴とする。
【０００８】
請求項２に記載の死装束は、請求項１に記載の死装束において、前記前面布地は、重なった外側布地と内側布地により形成されていることを特徴とする。
【０００９】
請求項３に記載の死装束は、請求項２に記載の死装束において、前記少なくとも１本の留め紐は、前面布地の幅よりも長い一連の紐から成り、該留め紐は、前面布地の左上側端部から右上側端部まで外側布地と内側布地を縫合した２つの縫い目の間に挿入され、中央部が外側布地と内側布地に固定され、周辺部が固定されていないことを特徴とする。
【００１０】
請求項４に記載の死装束は、請求項１〜３のいずれか１項に記載の死装束において、前記胴衣は、身体の胸部を左右から覆うことが可能なように背面布地の両側端部から外方に伸びる胸部帯状布地を有していることを特徴とする。
【００１１】
請求項５に記載の死装束は、請求項４に記載の死装束において、前記背面布地の幅よりも長い１枚の布地が胴衣本体に縫合されることによって、胸部帯状布地を成していることを特徴とする。
【００１２】
請求項６に記載の死装束は、請求項１〜５のいずれか１項に記載の死装束において、前記胴衣は、身体の下腹部を左右から覆うことが可能なように背面布地の両側端部から外方に伸びる下腹部帯状布地を有していることを特徴とする。
【００１３】
請求項７に記載の死装束は、請求項６に記載の死装束において、前記背面布地の幅よりも長い１枚の布地が胴衣本体に縫合されることによって、下腹部帯状布地を成していることを特徴とする。
【００１４】
請求項８に記載の死装束は、請求項１〜７のいずれか１項に記載の死装束において、身体の胸部から上を前記胴衣に重ねて覆う上衣を更に備えてなることを特徴とする。
【００１５】
請求項９に記載の死装束は、請求項８に記載の死装束において、前記上衣の上衣本体は、前面から身体を覆うように平面体状であることを特徴とする。
【００１６】
請求項１０に記載の死装束は、請求項８又は９に記載の死装束において、前記上衣は、身体の各手首に巻いて結ばれるように上衣本体の左右の端部近傍に手首固定紐を有していることを特徴とする。
【００１７】
請求項１１に記載の死装束は、請求項８〜１０いずれか１項に記載の死装束において、前記上衣は、身体の首部に巻いてから結ばれるように上衣本体の上端部から左右に伸びる飾り紐を有していることを特徴とする。
【発明の効果】
【００１８】
本発明によれば、前面布地と背面布地が左右いずれか一方のみで縫合されて成っており、背面布地と前面布地を留める少なくとも１本の留め紐を有しており、背面布地は厚手であるので、容易に胴衣を身体に着せることができ、また、通常のドレスの美しさに比べて遜色がない女性用の洋風の死装束とすることができる。
【図面の簡単な説明】
【００１９】
【図１】本発明の実施形態に係る死装束１を示す正面図である。
【図２】同上の死装束１を示す背面図である。
【図３】同上の死装束１を示す右側面図である。
【図４】同上の死装束１を展開した状態を示す正面図である。
【図５】同上の死装束１を展開した状態を示す背面図である。
【図６】同上の死装束１を身体に着せる途中状態を示す正面図である。
【図７】同上の死装束１を身体に着せる次の途中状態を示す正面図である。
【図８】同上の死装束１を身体に着せる次の途中状態を示す正面図である。
【図９】同上の死装束１を身体に着せる次の途中状態を示す正面図である。
【図１０】同上の死装束１を身体に着せる完了状態を示す正面図である。
【図１１】同上の死装束１の留め紐２３、２３’近傍を示す拡大右側面視断面図である。
【図１２】同上の死装束１の留め紐２３、２３’近傍を示す拡大正面図である。
【発明を実施するための形態】
【００２０】
以下、本発明を実施するための好ましい形態を図面を参照しながら説明する。本発明の実施形態に係る死装束１は、伝統的な着物スタイルのものではなく、女性用の洋風のものである。この死装束１は、図１〜５に示すように、身体の胸部から下を包む胴衣２と、身体の胸部から上を胴衣２に重ねて覆う上衣３と、を備えてなる。胴衣２は、前面部を形成する前面布地２１と背面部を形成する背面布地２２が左右いずれか一方のみで縫合されて成る胴衣本体２０に、留め紐２３、２３’、留め紐２４、２４’、胸部帯状布地２５、下腹部帯状布地２６が取り付けられたものである。上衣３は、平面体状の上衣本体３０に、手首固定紐３１、３１、飾り紐３２が取り付けられたものである。なお、図４と図５においては、主要な縫い目を点線で示している。
【００２１】
この死装束１を身体に着せる使用方法を簡単に説明しておく。先ず、図６に示すように、胴衣２を展開して（すなわち、前面布地２１の裏面が現れるように開いて）敷き、背面布地２２の上に身体を乗せる。そして、図７に示すように、胸部と下腹部をそれぞれ胸部帯状布地２５と下腹部帯状布地２６で覆う。それから、図８に示すように、前面布地２１を返して身体を覆い、相対する留め紐２３と留め紐２４、留め紐２３’と留め紐２４’を側部で結ぶ。次に、図９に示すように、身体の胸部から上に前面から上衣３を覆う。そして、図１０に示すように、手首固定紐３１、３１と飾り紐３２を用いて身体の両手首と首部に固定すると、完了する。
【００２２】
死装束１の各部分の構成及び機能の詳細を、以下説明する。
【００２３】
胴衣本体２０は、上記のように前面布地２１と背面布地２２が左右いずれか一方のみで縫合されて成っている。このような胴衣本体２０の構成と、背面布地２２と前面布地２１を留める少なくとも１本の留め紐２３（又は、２３’、２４、２４’）により、容易に胴衣２を身体に着せることが可能になる。図に示すこの実施形態では、前面布地２１の左下側端部２１ＬＬが背面布地２２に縫合されている（図４及び図５参照）。
【００２４】
背面布地２２は、図６に示すように身体を寝かせたときに身体の背部、臀部、脚部の後側に位置するようになるものである。背面布地２２は、万一、身体からの排泄物が浸透して漏れ出さないように、又は、身体が乗っている状態で持ち上げることができるように、厚手であることが好ましい。背面布地２２には、例えば綿製などを用いることができる。
【００２５】
前面布地２１は、ゆったりと膨らんで身体を覆うことができるように、幅（左右方向の幅）は背面布地２２の幅（左右方向の幅）よりも大きくなっている（図４及び図５参照）。前面布地２１が身体を覆ったときは、大体において、背面布地２２は、正面から見えなくなっている（図１参照）。前面布地２１は、ゆったりと膨らむことができ、かつ、装飾を自由に施すことができるように、背面布地２２よりも薄い布地により形成されているのが好ましい。前面布地２１には、例えば絹製などを用いることができる。なお、前面布地２１が身体を覆ったときは、覆い方によっては、前面布地２１の右下側端部２１ＲＬと背面布地２２の右下側端部２２ＲＬの間に若干の隙間でできる場合も有り得る（図２参照）が、通常、前面布地２１がゆったりと後方の敷布団に接しているので、側方から足などが見えることはない（図３参照）。
【００２６】
前面布地２１は、図１１の拡大右側面視断面図に示すように、重なった外側布地２１１と内側布地２１２により形成されているのが好ましい。外側布地２１１と内側布地２１２は、正面視（前面視）の輪郭形状が実質的に同じである。外側布地２１１は、シャーリングなどの装飾が施されるように内側布地２１２よりも多少ゆったりとしている。このように２重にすると、薄くて半透明であっても内側布地２１２が下着がわりになり、透けて身体が見えることがないようにできる。
【００２７】
留め紐２３（又は２３’）は前面布地２１に、留め紐２４（又は２４’）は背面布地２２にそれぞれ縫合により取り付けられている。留め紐２３（又は２３’）と留め紐２４（又は２４’）は、前面布地２１が身体を覆ったときに結べるような位置にある。留め紐２３、２３’（及び留め紐２４、２４’）の数は、図のように中間（身体のウェストの位置）と上端の２個とするのが機能の点及び美観の点から好ましいが、１個又は３個以上でも構わない。また、留め紐２４（又は２４’）或いは留め紐２３（又は２３’）を省略して、そのかわりに留め紐２３（又は２３’）或いは留め紐２４（又は２４’）を結べるもの（例えば、輪状のもの）を設けることも可能である。留め紐２３（又は２３’）、留め紐２４（又は２４’）には、互いをしっかり結べるように、例えば綿製などを用いることができる。
【００２８】
留め紐２３（又は２３’）と留め紐２４（又は２４’）の各々は、前面布地２１又は背面布地２２の幅（左右方向の幅）よりも長く、それらから外方に伸びた部分（はみ出た部分）が他の紐と結ばれる一連の（１本の）紐から成っている（図４及び図５参照）。外方に伸びた部分だけを、前面布地２１又は背面布地２２の両側端に縫合することも可能である。なお、留め紐２３（又は２３’）と留め紐２４（又は２４’）の各々の外方に伸びた部分は適宜折り曲げられるが、図４及び図５では、前面布地２１の左上側端部２１ＬＵ及び背面布地２２の左上側端部２２ＬＵから外方に伸びた部分が、背面布地２２に重ならないように折り曲げられた状態になっている。
【００２９】
留め紐２３が一連の紐から成り、かつ、前面布地２１が重なった外側布地２１１と内側布地２１２により形成されている場合、留め紐２３は、好ましくは、前面布地２１の左上側端部２１ＬＵから右上側端部２１ＲＵまで、外側布地２１１と内側布地２１２を縫合する一対のほぼ平行な縫い目２１ａ、２１ａの間に挿入される（図１１参照）。その場合、留め紐２３は、正面視の中央部（左右方向の中央部）が外側布地２１１と内側布地２１２に固定され、周辺部が固定されていない状態にしておく。詳細には、図１２（及び図４）中に示すように、２つの縫い目２１ｂ、２１ｂを、一対の縫い目２１ａ、２１ａの間にそれらに対してほぼ垂直に設けることにより、２つの縫い目２１ｂ、２１ｂの間が留め紐２３の中央部、２つの縫い目２１ｂ、２１ｂの外方が留め紐２３の周辺部とすることができる。縫い目２１ｂ、２１ｂを形成する前に、その位置の間の外側布地２１１にシャーリングを形成させておく（図１２参照）のが美観の点で好ましい。２つの縫い目２１ｂ、２１ｂのそれぞれの外方の外側布地２１１には、留め紐２３をつかんで外側布地２１１と内側布地２１２を寄せることでシャーリングが形成される（図１２参照）。このようにすると、外側布地２１１と内側布地２１２とを寄せたり緩めたりすることで、胴衣２を身体の太さに合わせることができる。留め紐２３’についても同様である。
【００３０】
次に、胸部帯状布地２５と下腹部帯状布地２６を説明する。胸部帯状布地２５は、身体の胸部を左右から覆うことが可能なように、一般的な女性の胸部よりも広い幅（上下幅）で、背面布地２２の両側端部から外方に（より詳細には、左上側端部２２ＬＵから左方、及び右上側端部２２ＲＵから右方に）伸びている（図４及び図５参照）。胸部帯状布地２６は、身体の胸部を横から寄せて形を整えながら左右から覆い、中央で結ばれるものである。結び易くするためには、胸部帯状布地２５は、先端が徐々に細くなっているのが好ましい。また、身体の胸部を上下から包み易くするように、胸部帯状布地２５は、中央部を上下に寄せてタック２５ａを形成し背面布地２２に縫合されているのが好ましい。
【００３１】
下腹部帯状布地２６は、身体の下腹部を左右から覆うことが可能なように、背面布地２２の両側端部から外方に（より詳細には、背面布地２２の左下側端部２２ＬＬから左方、及び右下側端部２２ＲＬから右方に）伸びている。下腹部帯状布地２６は、胸部帯状布地２５よりも広いか同程度の幅（上下幅）であり、身体の下腹部の上に左右から重ねて用いるものである。なお、前面布地２１と背面布地２２の縫合は、図に示すこの実施形態のように、背面布地２２の下端から下腹部帯状布地２６の上端近傍までされている方が取り扱い易さの点で好ましいが、下腹部帯状布地２６の中間部又は下端近傍までであってもよい。
【００３２】
胸部帯状布地２５と下腹部帯状布地２６はそれぞれ、背面布地２２に、留め紐２４、２４’と並んで縫合により取り付けられており、身体を覆って留め紐２３、２３’と留め紐２４、２４’を留めた状態で、前面布地２１の右上側端部２１ＲＵと背面布地２２の右上側端部２２ＲＵの間の隙間（及び、前面布地２１の左上側端部２１ＬＵと背面布地２２の左上側端部２２ＬＵの間の隙間）を通して胸部と下腹部が見えることのないように隠すことができる（図３参照）。また、下腹部帯状布地２６については、身体を移動させる場合、前面布地２１がはだける可能性もあり、そのときに下腹部が見えることのないように隠すことができる。
【００３３】
胸部帯状布地２５と下腹部帯状布地２６はそれぞれ、背面布地２２の幅よりも長い１枚の布地から成っている。そうすると、納棺のときに、胸部帯状布地２５或いは下腹部帯状布地２６をつかんで持ち上げることで、身体を移動し易くなる。胸部帯状布地２５と下腹部帯状布地２６は、例えば綿製などを用いることができる。
【００３４】
上衣３について説明する。上衣３は、身体の胸部から上、すなわち、首筋や肩や腕を覆う。死装束１は、この上衣３を胴衣２とともに備えることで、通常のドレスの美しさに比べて遜色がないものとすることができる。胴衣２と上衣３を分離し、上衣３を胴衣２に重ねて覆うことで、身長の大小にかかわらず着せることが可能になる。つまり、身長に応じたサイズのものを別々に用意しなくてもよい。
【００３５】
上衣３の上衣本体３０は、上記のように平面体状になっている。つまり、袖の部分を腕を通すような筒状の形にしていない（図４参照）。好ましくは、図９に示すように、身体の背中の下に敷き入れず、前面から身体を覆うようにする。また、身体の各手首に巻いて結ばれるように上衣本体３０の左右の端部近傍に、上記の手首固定紐３１、３１が取り付けられている。指に引っ掛けるような小径の輪（図示せず）を先端に取り付けてもよい。また、身体の首部に巻いてから結ばれるように上衣本体３０の上端部（襟）から外方に伸びる上記の飾り紐３２が取り付けられている。飾り紐３２は、前面で結ばれることで、装飾にもなる。上衣本体３０と飾り紐３２は、例えば絹製などを、手首固定紐３１、３１は、例えば綿サテン製などを用いることができる。このような上衣本体３０、手首固定紐３１、３１、飾り紐３２により、上衣３は着せ易いものになっている。
【００３６】
以上のように、死装束１は、着せ易く、通常のドレスの美しさに比べて遜色がないものである。また、胴衣２と上衣３を金属類を用いずに構成しているので、火葬のときに余分なものが燃え残らないようにすることができる。また、胴衣２と上衣３にポリエステルのような化学繊維を用いることも可能であるが、上記の例のように、絹、綿などの天然繊維或いはレーヨンなどの再生繊維を用いると、火葬のときに有害ガスなどの発生の可能性を回避できるので、好ましい。
【００３７】
以上、本発明の実施形態に係る死装束１について説明したが、本発明は、上述の実施形態に記載したものに限られることなく、特許請求の範囲に記載した事項の範囲内でのさまざまな設計変更が可能である。例えば、身体の首筋や肩や腕がきれいな場合などでは、上衣３を省略することも可能である。また、着せ難くなるが、上衣３を身体の背中の下に敷き入れるようなものにすることも場合によっては可能である。また、コスト低減などのために、胸部帯状布地２５、下腹部帯状布地２６、手首固定紐３１、３１、飾り紐３２などを省略することも場合によっては可能である。また、花の形の胸飾りなど様々な装飾を付加したり、胴衣２や上衣３の全部或いは一部を適宜着色したり刺繍したりするのが可能なことは勿論である。また、素材も上記に限定されるものではない。また、使用方法も上記に限定されるものではない。
【符号の説明】
【００３８】
１      死装束
２      胴衣
２０    胴衣本体
２１    前面布地
２１ＬＵ  前面布地の左上側端部
２１ＬＬ  前面布地の左下側端部
２１ＲＵ  前面布地の右上側端部
２１ＲＬ  前面布地の右下側端部
２１１  外側布地
２１２  内側布地
２２    背面布地
２２ＬＵ  背面布地の左上側端部
２２ＬＬ  背面布地の左下側端部
２２ＲＵ  背面布地の右上側端部
２２ＲＬ  背面布地の右下側端部
２３、２３’  前面布地の留め紐
２４、２４’  背面布地の留め紐
２５    胸部帯状布地
２６    下腹部帯状布地
３      上衣
３０    上衣本体
３１    手首固定紐
３２    飾り紐
【図１】
0005697016.tif 000002
【図２】
0005697016.tif 000003
【図３】
0005697016.tif 000004
【図４】
0005697016.tif 000005
【図５】
0005697016.tif 000006
【図６】
0005697016.tif 000007
【図７】
0005697016.tif 000008
【図８】
0005697016.tif 000009
【図９】
0005697016.tif 000010
【図１０】
0005697016.tif 000011
【図１１】
0005697016.tif 000012
【図１２】
0005697016.tif 000013